(57)【特許請求の範囲】
【請求項１】
粉塵の吸い込み動作を行うモータと集められた粉塵を収める集塵室と前記モータをＯＮ、ＯＦＦ動作させると共にその端から順にＯＮの位置、ＯＦＦの位置、ＯＦＦ且つスティック着脱の位置の３つの位置が切り換え可能なＯＮ・ＯＦＦスイッチとを備えた掃除機本体と、前記掃除機本体の下部に配設された床ノズルと、前記掃除機本体の上部に設けられた着脱式のスティックと、前記スティックの上部に設けられたグリップとを備えたスティック型掃除機であり、前記掃除機本体に設けられたＯＮ・ＯＦＦスイッチをＯＦＦ且つスティック着脱の位置に切り換えたときに、前記着脱式のスティックのロックを解除し、前記スティックを前記掃除機本体から取り外し可能としたことを特徴とするスティック型掃除機。
【請求項２】
粉塵の吸い込み動作を行うモータと集められた粉塵を収める集塵室と前記モータをＯＮ、ＯＦＦ動作させると共にＯＮの位置、ＯＦＦの位置が切り換え可能なＯＮ・ＯＦＦスイッチとを備えた掃除機本体と、前記掃除機本体の下部に配設された床ノズルと、前記掃除機本体の上部に設けられた着脱式のスティックと、前記スティックの上部に設けられたグリップと、前記ＯＮ・ＯＦＦスイッチがＯＮの位置にあるときには操作不能で、前記着脱式のスティックのロックを解除する着脱スイッチとを備えたスティック型掃除機であり、前記掃除機本体に設けられたＯＮ・ＯＦＦスイッチがＯＦＦの位置にある際に、前記着脱スイッチを押すことで、前記着脱式のスティックのロックを解除し、前記スティックを前記掃除機本体から取り外し可能としたことを特徴とするスティック型掃除機。
【発明の詳細な説明】
【０００１】
【発明の属する技術分野】
本発明は、一般家庭にて使用されるスティック型掃除機に関するものである。
【０００２】
【従来の技術】
従来、この種のスティック型掃除機は、集塵室やモ−タを内蔵する掃除機本体の後方で、かつ、その上部に着脱式のスティックパイプを介してグリップが取りつけられていた。また掃除機本体の下部には床ノズルが配設され、この床ノズルは、掃除機本体と回動自在に設けられていた。
【０００３】
【発明が解決しようとする課題】
しかし、このような構成のものにあっては、掃除機本体のモータを動作させるＯＮ・ＯＦＦスイッチとスティック着脱のための着脱スイッチとが別々に設けられており、掃除機を使用している際に誤って着脱スイッチが押されるとスティックがはずれ、掃除機本体が倒れ、吸い込み口から必要なものまで吸い込んでしまう可能性があった。
【０００４】
上記問題点を解決するために本発明は、モータのＯＮ・ＯＦＦスイッチとスティック着脱のための着脱スイッチとを兼用させ、必要なものまで吸い込むことのない電気掃除機を提供することを目的とする。
【０００５】
【課題を解決するための手段】
上記目的を達成するために請求項１に記載の発明は、粉塵の吸い込み動作を行うモータと集められた粉塵を収める集塵室と前記モータをＯＮ、ＯＦＦ動作させると共にその端から順にＯＮの位置、ＯＦＦの位置、ＯＦＦ且つスティック着脱の位置の３つの位置が切り換え可能なＯＮ・ＯＦＦスイッチとを備えた掃除機本体と、前記掃除機本体の下部に配設された床ノズルと、前記掃除機本体の上部に設けられた着脱式のスティックと、前記スティックの上部に設けられたグリップとを備えたスティック型掃除機であり、前記掃除機本体に設けられたＯＮ・ＯＦＦスイッチをＯＦＦ且つスティック着脱の位置に切り換えたときに、前記着脱式のスティックのロックを解除し、前記スティックを前記掃除機本体から取り外し可能としたものである。これにより、スティックの取り外しの際には、必ず掃除機本体に設けられたＯＮ・ＯＦＦスイッチはＯＦＦとなっているので、必要なものまで吸い込むことがない。
【０００６】
また請求項２に記載の発明は、粉塵の吸い込み動作を行うモータと集められた粉塵を収める集塵室と前記モータをＯＮ、ＯＦＦ動作させると共にＯＮの位置、ＯＦＦの位置が切り換え可能なＯＮ・ＯＦＦスイッチとを備えた掃除機本体と、前記掃除機本体の下部に配設された床ノズルと、前記掃除機本体の上部に設けられた着脱式のスティックと、前記スティックの上部に設けられたグリップと、前記ＯＮ・ＯＦＦスイッチがＯＮの位置にあるときには操作不能で、前記着脱式のスティックのロックを解除する着脱スイッチとを備えたスティック型掃除機であり、前記掃除機本体に設けられたＯＮ・ＯＦＦスイッチがＯＦＦの位置にある際に、前記着脱スイッチを押すことで、前記着脱式のスティックのロックを解除し、前記スティックを前記掃除機本体から取り外し可能としたものである。これにより、第１の発明の効果に加え、掃除機本体に設けられたＯＮ・ＯＦＦスイッチの操作ミスで、スティックが不要にはずれることを防止できる。
【０００７】
【発明の実施の形態】
以下、本発明の実施の形態について図１〜５を用いて説明する。
【０００８】
（実施の形態１）
図１において、１は掃除機本体で、図示していない集塵室及びファンモータを内蔵し、集塵室には紙袋が取り付けられている。紙袋は蓋７を開けることにより交換ができるものである。掃除機本体１の下部には、床面のゴミ等を吸い込む吸い込み口を有した床ノズル２が接続されおり、床ノズル２には、回転ブラシが内蔵され、回転ブラシはベルトを介して駆動モ−タ−によつて回転させられているものである。
【０００９】
また、掃除機本体１の上部には、スティック３が設けられ、スティック３の上部にはグリップ４が配設されている。グリップ４には、手元で掃除機のＯＮ・ＯＦＦ操作が可能となるように手元スイッチ５が設けられている。掃除機本体１は、床ノズル２との接続部近傍である回動軸を起点として、床ノズル２と、掃除機本体１がＡ方向に約７０度、Ｂ方向に約１２０度、回動自在に設けられている。
【００１０】
また、スティックをはずした際にも、ハンディ型として掃除可能とするために、掃除機本体１にもＳＷレバー６（特許請求の範囲で言うところのＯＮ・ＯＦＦスイッチ）が設けられており、これにより掃除機のＯＮ・ＯＦＦ操作をすることも可能となっている。
【００１１】
上記構成における動作を説明する。手元スイッチ５をＯＮにすると、モータが動作し始め、床ノズル２の吸い込み口から吸引した塵埃を掃除機本体１内の集塵室に取り付けた紙袋に溜める。また紙袋がゴミで一杯になった際には、蓋７を開けるか、もしくははずすことにより紙袋を交換できる。
【００１２】
図２から図４の要部断面図を用いて、ＳＷレバーがＯＮ・ＯＦＦ・スティック着脱の３つの位置にある場合を想定して、それぞれ説明する。
【００１３】
図２は、ＳＷレバー６がＯＦＦの位置にある際の要部断面図であり、手元スイッチ５と連絡しスイッチをＯＮ・ＯＦＦするための連絡棒１１は、手元スイッチ５がＯＦＦであるため、バネ１２でスティック方向に付勢されたＳＷガイド１３を押し込んでおらず、ＳＷガイド１３は起動スイッチ１４をＯＮにしていないため、モータは動作しない。この際、スティック３をはずすためのロックツメ１５も図に示すようにＳＷレバー６によって押し込まれておらず、スティック３がはずれることはない。
【００１４】
図３は、ＳＷレバー６がＯＮの位置にある際の要部断面図であり、手元スイッチ５を操作してＯＮの位置にした際には、連絡棒１１は付勢されたバネ１２に抗ってＳＷガイド１３を押し込み、ＳＷガイド１３が起動スイッチ１４を押し込んでモータを動作させることにより、掃除が可能となる。この際、ロックツメ１５はＳＷレバー６と全く接触しておらず、ロックツメ１５が押し込まれることはないので、スティック３がはずれることはない。なお、ハンディ型としてスティック３を取り外して使用している場合には、図３に示す連絡棒１１を含むスティック３は存在しない。
【００１５】
図４は、ＳＷレバー６がスティック着脱の位置にある際の要部断面図であり、手元スイッチ５はＯＦＦの位置にあるため、連絡棒１１は図２と同様の位置にある。このためＳＷガイド１３はバネ１２の復元力により図に示すＯＦＦの位置に戻っており、起動スイッチ１４の押し込みが解除され、モータの動作は停止している。そして、この時にＳＷガイド１３がロックツメ１５を図に示すように押し下げ、スティック３のロックを解除しており、使用者がスティック３を抜いて、コンパクトに収容することを可能としている。このような構成をとることで、スティック３を抜く際には必ずＳＷレバー６はＯＮの位置にはなっていないので、吸い込み口から必要なものを吸い込んでしまうことはなくなる。なお、ＳＷレバー６において、ＯＦＦの位置とスティック着脱の位置とを分けずに同じ位置とすることも可能であるが、予期せぬ状態でスティックがはずれてしまう恐れが生じてくるため、別々の位置に分けた方が良い。
【００１６】
（実施の形態２）
図５を用いて、本発明の他の実施の形態を説明する。本実施の形態において、基本となる構成は実施の形態１で示した構成と略同等であるので、略同等の機能を有するものは、同じ番号を付し、詳細な説明は省略する。
【００１７】
図５において、２０はＳＷレバーであるが、本実施の形態においては、ＯＮ・ＯＦＦの２箇所の位置だけを設け、スティック着脱の位置を設けていない。またＳＷレバー２０は、ＯＦＦの位置にあるとしてもロックツメ１５を押さえ込む構造を取っておらず、ロックツメ１５の上部を覆う構造となっている。またＳＷレバー２０は、ＯＮの位置にある際には、実施の形態１の場合と同様にロックツメ１５と全く接触していないので、モータの動作中にスティック３が抜けることはない。本実施の形態においては、ＳＷレバー２０がロックツメ１５を押さえ込むための着脱スイッチ１６を設けている。このため、使用者がこの着脱スイッチ１６を押さえることにより、同スイッチ１６と当接したＳＷレバー２０がロックツメ１５を押さえ込むことにより、スティック３を取り外すことが可能となる。前述のように、ＳＷレバー６がＯＮの位置にある際には、着脱スイッチ１６を押した、あるいは誤って押されたとしても、ロックツメ１５が押さえ込まれることはなく、スティック３がはずれることはない。
【００１８】
本実施の形態の構成を用いると、実施の形態１の構成と比較して、必要なものを吸い込まないという安全性向上の面では同等の効果を有する。なお、本実施の形態では、部品点数・工数が増える等のデメリットもあるが、実施の形態１の構成では使用者がＯＦＦの位置としたつもりが、スティック着脱の位置になっており、不都合が生じる可能性も新たに出てくるが、本実施の形態はこれをも解消することができる。
【００１９】
【発明の効果】
以上のように、請求項１に記載の発明によれば、スティックの取り外しの際には、必ず塵埃を吸引するモータがＯＦＦとなっているので、必要なものまで吸い込むことがない。
【００２０】
また、請求項２に記載の発明によれば、上記の効果に加え、掃除機本体に設けられたＯＮ・ＯＦＦスイッチの操作ミスで、スティックが不要にはずれることを防止できる。さらに、スティックの着脱スイッチが予期せぬ状態で押され、掃除機本体が不用意に倒れることにより起こりうる危険性を減じることができるという効果を有する。
【図面の簡単な説明】
【図１】  本発明の掃除機の全体図
【図２】  同掃除機のＳＷレバーＯＦＦ時の要部断面図
【図３】  同掃除機のＳＷレバーＯＮ時の要部断面図
【図４】  同掃除機のスティック着脱時の要部断面図
【図５】  本発明の他の実施の形態を示す要部断面図
【符号の説明】
１  掃除機本体
２  床ノズル
３  スティック
４  グリップ
５  手元スイッチ
６、２０  ＳＷレバー（ＯＮ・ＯＦＦスイッチ）
７  蓋
１１  連絡棒
１２  バネ
１３  ＳＷガイド
１４  起動スイッチ
１５  ロックツメ
１６  着脱スイッチ
【図１】
0003684864.tif 000002
【図２】
0003684864.tif 000003
【図３】
0003684864.tif 000004
【図４】
0003684864.tif 000005
【図５】
0003684864.tif 000006